(57)【要約】  ラマン光増幅を用いた光伝送装置の利得校正を効率化することが望まれる。光伝送装置は、伝送路にラマン増幅を行うための励起光の供給を行うラマン増幅ユニットと、伝送路の接続先ノードからの監視光を受信する光監視信号制御ユニットと、光監視信号制御ユニットが監視光を受信しないときラマン増幅ユニットに対して励起光の供給の停止を指令する待機信号を発信し、当該待機信号が解除されたときラマン増幅ユニットの利得の校正を実行する監視制御ユニットとを備える。
2013115230.tif 000002
【特許請求の範囲】
【請求項１】
伝送路にラマン増幅を行うための励起光の供給を行うラマン増幅ユニットと、
前記伝送路の接続先ノードからの監視光を受信する光監視信号制御ユニットと、
前記光監視信号制御ユニットが前記監視光を受信しないとき前記ラマン増幅ユニットに対して励起光の供給の停止を指令する待機信号を発信し、当該待機信号が解除されたとき前記ラマン増幅ユニットの利得の校正を実行する監視制御ユニット
とを具備する光伝送装置。
【請求項２】
請求項１に記載された光伝送装置であって、
前記監視制御ユニットは、前記待機信号が発信されたとき、前記励起光の供給を停止する停止信号を前記励起光源ユニットに送信し、且つ、前記接続先ノードに対して、前記伝送路に出力する信号光の増幅を行う光増幅ユニットのシャットダウンを指令するシャットダウン信号を送信する
光伝送装置。
【請求項３】
請求項２に記載された光伝送装置であって、
前記監視制御ユニットは、前記校正が完了したとき、前記接続先ノードに対して前記シャットダウンを解除する信号を送信する
光伝送装置。
【請求項４】
請求項１から３のいずれかに記載された光伝送装置であって、
更に、当該光伝送装置における前記伝送路付近で前記接続先ノードからのファイバ断検出用光信号を受信するファイバ断検出用光受信部を具備し、
前記監視制御ユニットは、前記光監視信号制御ユニットが前記監視光を受信せず、且つ、前記ファイバ断検出用光受信部が前記ファイバ断検出用光信号を受信しないとき、前記待機信号を送信し、
前記待機信号の解除は、前記光監視信号制御ユニットが前記監視光を受信し、前記ファイバ断検出用光受信部がファイバ断検出用光信号を受信することを条件として送信される
光伝送装置。
【請求項５】
請求項４に記載された光伝送装置であって、
更に、当該光伝送装置における前記光伝送路への出力付近で前記接続先ノードに対して前記ファイバ断検出用光信号を送信するファイバ断検出用光源を具備し、
前記光監視信号制御ユニットは、前記接続先ノードに対して前記監視光を送信する
光伝送装置。
【請求項６】
第１の光伝送装置と、
第２の光伝送装置とを具備し、
前記第１の光伝送装置と前記第２の光伝送装置との各々は、請求項１から５のいずれかに記載された光伝送装置の構成を具備し、
前記第１の光伝送装置は、前記第２の光伝送装置の前記接続先ノードであり、
前記第２の光伝送装置は、前記第１の光伝送装置の前記接続先ノードである
光伝送システム。
【請求項７】
伝送路にラマン増幅を行うための励起光の供給を行うラマン増幅ユニットと、
前記伝送路の接続先ノードからの監視光を受信する光監視信号制御ユニットとを具備する光伝送装置の利得校正方法であって、
前記光監視信号制御ユニットが前記監視光を受信しないとき前記ラマン増幅ユニットに対して励起光の供給の停止を指令する待機信号を発信する工程と、
前記待機信号が解除されたとき前記ラマン増幅ユニットの利得の校正を実行する工程
とを具備する光伝送装置の利得校正方法。
【請求項８】
請求項７に記載の利得校正方法を、前記光伝送装置が備える監視制御部に実行させる利得校正プログラム。
【発明の詳細な説明】
【技術分野】
【０００１】
本発明は、光伝送装置に関する。本発明は特に、光伝送装置の校正に関する。
【背景技術】
【０００２】
誘導ラマン散乱効果を利用したラマン光増幅が光信号の伝送に用いられている。ラマン光増幅においては、伝送路となる光ファイバに励起光を入射することにより、光ファイバ自身が増幅器として機能する。【０００３】
誘導ラマン散乱効果により得られる増幅利得は、励起光の利得効率と、伝送路ファイバ特性の波長依存性とに大きく依存する。光伝送装置においては、安定した通信状態を維持するために光レベルの安定制御が必要となる。そのため、使用する伝送路ファイバから得られる増幅利得と励起光との校正（ｃａｌｉｂｒａｔｉｏｎ，較正）が必要となる。【０００４】
後述する光伝送装置のＡＰＲ（Ａｕｔｏ  Ｐｏｗｅｒ  Ｒｅｄｕｃｔｉｏｎ）機能に関する参考技術として、特許文献１を挙げる。
【先行技術文献】
【特許文献】
【０００５】
【特許文献１】特開２０００−３３２６９５号公報
【発明の概要】
【０００６】
光伝送装置において、運用開始時や支障移転時などに伝送路状態が変わる可能性がある。ここで支障移転（ｏｐｔｉｃａｌ  ｆｉｂｅｒ  ｈａｎｄｌｉｎｇ，ｏｐｔｉｃａｌ  ｌｉｎｅ  ｓｗｉｔｃｈｉｎｇ）とは、道路の拡幅、電気・水道の新設などの工事に伴って、既存の光通信回線を改めて敷設し直す作業を指す。このような伝送路状態が変わる可能性のある操作が行われる場合、運用者が手動で制御することにより、利得校正を実行することができる。しかしながら、校正の手順の習得に訓練を要すること、及び校正作業に時間がかかることが問題となる。
【０００７】
特に近年、スマートフォン、タブレットの流行等によるトラフィックの急増に伴い、電気通信事業者による回線増強工事が急速に進められている。そのため工事担当者のスキルに依存しない簡単な作業や、工事に要する時間の短縮が強く望まれている。
【０００８】
ラマン光増幅を用いた光伝送装置の利得校正を効率化する技術が望まれる。
【０００９】
本発明の一側面において、光伝送装置は、伝送路にラマン増幅を行うための励起光の供給を行うラマン増幅ユニットと、伝送路の接続先ノードからの監視光を受信する光監視信号制御ユニットと、光監視信号制御ユニットが監視光を受信しないときラマン増幅ユニットに対して励起光の供給の停止を指令する待機信号を発信し、当該待機信号が解除されたときラマン増幅ユニットの利得の校正を実行する監視制御ユニットとを備える。
【００１０】
本発明により、ラマン光増幅を用いた光伝送装置の利得校正を効率化する技術を提供することが可能となる。
【図面の簡単な説明】
【００１１】
本発明の上記目的、他の目的、効果、及び特徴は、添付される図面と連携して実施の形態の記述から、より明らかになる。
【図１】図１は、校正動作を説明するためのブロック図である。
【図２】図２は、校正動作を説明するためのブロック図である。
【図３】図３は、校正動作を説明するためのブロック図である。
【図４】図４は、校正動作を説明するためのブロック図である。
【図５】図５は、校正動作を説明するためのブロック図である。
【図６】図６は、校正動作を説明するためのブロック図である。
【図７】図７は、校正動作を説明するためのブロック図である。
【図８】図８は、校正動作を説明するためのブロック図である。
【図９Ａ】図９Ａは、手動利得校正のフロー図である。
【図９Ｂ】図９Ｂは、手動利得校正のフロー図である。
【図１０Ａ】図１０Ａは、自動利得校正のフロー図である。
【図１０Ｂ】図１０Ｂは、自動利得校正のフロー図である。
【図１１】図１１は、自動利得校正のフロー図である。
【図１２】図１２は、利得校正のフロー図である。
【発明を実施するための形態】
【００１２】
［第１実施形態］
以下、添付図面を参照して、本発明の実施形態を説明する。図１は、本発明の第１実施形態における光伝送システムの構成を示すブロック図である。光伝送システムは、装置２００とその接続先ノードである装置１０１とを備える。装置１０１は、光増幅ユニット１３０と、監視光源１０２とを備える。装置２００の詳細な構成については後述する。
【００１３】
光増幅ユニット１３０は、入力した主信号を所定の出力レベル内に増幅して、伝送路３０１を介して装置２００に伝送する。監視光源１０２は、主信号と異なる波長帯の監視光４０３を出力する。監視光４０３は主信号４０１に波長多重され、伝送路３０１を介して装置２００に送信される。
【００１４】
本実施形態における光伝送システムにおいては、後方励起型のラマン励起（Ｂａｃｋｗａｒｄ  Ｒａｍａｎ  Ａｍｐｌｉｆｉｃａｔｉｏｎ）が用いられる。装置２００は、ラマン光増幅ユニット２５０が備える励起光源２５２によって励起光５０４を伝送路３０１に供給する。装置１０１側から伝送される主信号４０１は、励起光５０４が供給するエネルギーによって増幅される。装置２００が備える光増幅ユニット２４０は、監視光４０３を伝送路３０１からドロップする。光監視信号制御ユニット２２０は、ドロップされた監視光４０３を監視する。
【００１５】
このような構成を備えた光伝送システムにおいて、伝送路３０１による光信号の伝送を開始する場合を考える。例えば装置１０１と装置２００とを接続する伝送路３０１の支障移転や、光通信回線に装置２００を追加し、初期設定を行う場合が考えられる。このような場合、装置２００の接続時に、励起光源２５２の利得を校正する必要がある。この例では、装置２００の接続前には、装置１０１の光増幅ユニット１３０が例えばＡＰＲ機能により出力を落としており、装置２００の光監視信号制御ユニット２２０は監視光４０３を監視するための動作を行っていたとする。更に、通常のＡＰＲ機能に加えて、監視制御ユニット２１０からの指令により、光増幅ユニット１３０について出力を強制的にシャットダウンする制御が行われる。
【００１６】
図１１は、伝送路３０１を接続するときの利得校正の動作を示す。光伝送システムに接続する前に、装置２００は初期設定の状態にされる。この状態において、ラマン光増幅ユニット２５０は励起光の出力の停止を指令する待機信号を生成する。運用者が伝送路３０１のファイバ切替作業を行うことにより（ステップＳ３７）、伝送路３０１が接続される（ステップＳ３８）。伝送路３０１には監視光源１０２が出力する監視光４０３が伝送される。光監視信号制御ユニット２２０は、監視光４０３を検出すると、監視制御ユニット２１０に通知する。その通知を受けた監視制御ユニット２１０は、伝送路３０１が接続されたことを認識し、ラマン光増幅ユニット２５０の待機信号を解除する（ステップＳ３９）。
【００１７】
監視制御ユニット２１０が伝送路３０１の接続を認識すると、装置１０１の光増幅ユニット１３０のＡＰＲ制御の解除を指令する信号１０４を、装置２００から装置１０１側へ伝送路１０３を介して伝送する（ステップＳ４０）。信号１０４を受信すると、光増幅ユニット１３０は通常のＡＰＲ制御を解除する。ただし、光増幅ユニット１３０の強制的なシャットダウンは継続される。そのためラマン利得校正を実行する上で不要な主信号４０１の出力は抑えられる（ステップＳ４１）。
【００１８】
監視制御ユニット２１０は、伝送路３０１の接続を認識すると、ラマン利得の自動校正を開始する（ステップＳ４２）。自動利得校正が完了すると、監視制御ユニット２１０は、光増幅ユニット１３０を起動し出力を許可する指令を伝送路１０３を介して伝送する（ステップＳ４３）。この指令に応答して、光増幅ユニット１３０は増幅された主信号４０１の伝送路３０１への伝送を開始する（ステップＳ４４）。伝送路３０１の主信号４０１は、利得校正された励起光源２５２からの励起光によって、適切なレベルに増幅される。
【００１９】
以上のような動作により、運用者が伝送路３０１の接続などの物理的な接続を行うと、ラマン励起光の利得の校正が自動的に行われる。そのため工事担当者に要求されるスキルを低減することが可能となる。以上の動作は、監視制御部が備える非遷移的な（ｎｏｎ−ｔｒａｎｓｉｔｏｒｙ）記録媒体に格納されたコンピュータ可読なプログラムを監視制御部の演算制御装置が読み出し、そのプログラムに記述された手順に従って動作を実行することによって実現可能である。
【００２０】
以下、本実施形態に適用できる自動校正の一例を参考技術として説明する。前提として、励起光源（図１の励起光源２５２に相当）にラマン利得の測定対象の伝送路Ｘ（伝送路３０１に相当）が接続され、上流の光増幅器（励起光源２５２に対する光増幅ユニット１３０に相当）は出力を停止しているものとする。
【００２１】
更に、運用者は、校正対象のユニット（ラマン光増幅ユニット２５０）を事前にモデル伝送路ファイバＹに接続し、励起光源に供給する駆動電力に依存する励起光源出力パワーｎと、その結果として得られるラマン利得とを測定する。具体的には、モデル伝送路ファイバＹにおいて得られる雑音成分の増幅利得Ａｎと信号成分の増幅利得Ｂｎとを測定する。これらｎ、Ａｎ及びＢｎの相関関係は、テーブルや関数により予めラマン光増幅ユニット２５０の記憶部（図示せず）に、励起光源出力パワーがｎのときの雑音成分の期待増幅利得Ａｎと、信号成分の期待増幅利得Ｂｎとして記録される。
【００２２】
図１２は、ラマン光増幅ユニット２５０が実行する自動校正（図１１のステップＳ４２）の動作の一例を示す。ラマン励起光源の出力パワーが予め設定された基準値の励起光源出力パワーｎに設定される（ステップＳ５０）。伝送路Ｘから得られる光成分の入力パワーを検出し、その検出値に基づいて、励起光源出力パワーがｎの時の雑音成分の増幅利得Ａｎ´を計算して記憶する（ステップＳ５１）。その増幅利得Ａｎ´と、予め記憶した期待増幅利得Ａｎとを比較する。その比較に基づいて、励起光源出力パワーｎにおける雑音成分の増幅利得ＡｎをＡｎ´に校正する（ステップＳ５２）。ＡｎとＡｎ´に基づいて、伝送路Ｘにおける、励起光源出力パワーｎの時の主信号４０１の信号成分の期待増幅利得ＢｎをＢｎ´に校正する（ステップＳ５３）。以上で、励起光源出力パワーｎのときの利得校正が完了する。
【００２３】
次に、励起光源２５２の出力パワーの基準値であるｎを、所定値αを単位としてインクリメントする（ステップＳ５４）。ｎが予め設定された測定すべき最大値を超えるまで、ステップＳ５１〜Ｓ５３の利得校正が行われ、ラマン利得校正が完了する（ステップＳ５５）。
【００２４】
［第２実施形態］
図２は、２台の光伝送システムの構成を示すブロック図であり、校正動作を説明するための図である。光伝送システムは、互いに同一の構成を備える多数の光伝送装置が光ファイバ回線で接続されることによって構成される。図２の例では、そのうち２台の装置１００、２００が示されている。装置１００と装置２００とは伝送路３０１、３０２を介して双方向で光伝送しており、互いに自己の励起光源１５２、２５２が励起光を供給する伝送路３０１、３０２の接続先ノードである。装置１００は監視制御ユニット１１０、光監視信号制御ユニット１２０、送信用である光増幅ユニット１３０、受信用である光増幅ユニット１４０、ラマン光増幅ユニット１５０を備える。光増幅ユニット１３０が信号光を増幅することにより、長距離の光通信ネットワークにおいて光信号レベルが適切な範囲内に調整される。
【００２５】
監視制御ユニット１１０は装置１００に搭載されるユニットの監視、制御を可能とする。運用者は、監視制御ユニット１１０に接続されるＧＵＩ（Ｇｒａｐｈｉｃａｌ  Ｕｓｅｒ  Ｉｎｔｅｒｆａｃｅ）を介して、装置１００の状態監視、制御可能とする。監視制御ユニット２１０は、光増幅ユニット２３０に対して信号２１１を送信することにより、光信号の出力や停止を指令する。監視制御ユニット２１０は更に、ラマン光増幅ユニット２５０に対して校正を指令する信号２１２を送信する。信号２１２を受信したラマン光増幅ユニット２５０は、励起光源２５２の出力レベルの制御を行う。監視制御ユニット２１０は更に、光増幅ユニット２４０の状態を通知する信号２４２を受信することにより、各種警報状態や性能監視情報を監視する。
【００２６】
光監視信号制御ユニット１２０は、監視信号送信部１２１と監視信号受信部１２２とを備え、装置１００と装置２００の間の監視制御信号の通信を行う。監視信号送信部１２１は、監視光４０３を出力する。監視信号受信部１２２は、装置２００から装置１００方向の監視光５０３を受信する。監視光４０３及び５０３は人体に影響を及ぼさない安全なレベルの光レーザ出力である。監視光４０３によって、装置１００側の設定や警報状態などの情報を装置２００側に通知する等の遠隔監視制御通信を行うことができる。監視光４０３及び５０３には、主信号４０１及び５０１との干渉を避けるため主信号４０１及び５０１と異なる波長が用いられる。
【００２７】
ラマン光増幅ユニット１５０は、励起光源１５２と、伝送路ファイバ断検出用光源１５１と、ファイバ断検出用光受信部１５３とを備える。励起光源１５２は、装置１００から装置２００方向に主信号増幅用励起光４０４を出力する。これは、装置２００から装置１００方向の主信号５０１を後方励起により増幅するためのものである。伝送路ファイバ断検出用光源１５１は、主信号４０１、監視光４０３と異なる光波長のファイバ断検出用光４０２を装置１００から装置２００方向へ出力する。ファイバ断検出用光受信部１５３は、装置２００から装置１００方向のファイバ断検出用光５０２の状態監視を行う。ファイバ断検出用光４０２及び５０２は人体に影響を及ぼさない安全なレベルの光レーザ出力である。
【００２８】
主信号４０１と監視光４０３は光増幅ユニット１３０で波長多重され、主信号４０１、監視光４０３とファイバ断検出用光４０２はラマン光増幅ユニットで波長多重される。
【００２９】
ラマン光増幅ユニット１５０は、装置２００からの主信号５０１、監視光５０３とファイバ断検出用光５０２が多重された光信号の内、ファイバ断検出用光５０２をドロップする。光増幅ユニット１４０は装置２００からの多重光の内、監視光５０３をドロップする。
【００３０】
装置２００は、装置１００の監視制御ユニット１１０、光監視信号制御ユニット１２０、送信用である光増幅ユニット１３０、受信用である光増幅ユニット１４０、ラマン光増幅ユニット１５０にそれぞれ対応して、監視制御ユニット２１０、光監視信号制御ユニット２２０、送信用である光増幅ユニット２３０、受信用である光増幅ユニット２４０、ラマン光増幅ユニット２５０を備える。監視制御ユニット２１０は、装置１００の監視制御ユニット１１０と同様の構成を備える。光監視信号制御ユニット２２０は、装置１００の光監視信号制御ユニット１２０の監視信号送信部１２１と監視信号受信部１２２にそれぞれ対応して、監視信号送信部２２１と監視信号受信部２２２とを備える。光増幅ユニット２３０は、装置１００の光増幅ユニット１３０と同様の構成を備える。光増幅ユニット２４０は、装置１００の光増幅ユニット１４０と同様の構成を備える。ラマン光増幅ユニット２５０は、装置１００の励起光源１５２と、伝送路ファイバ断検出用光源１５１と、ファイバ断検出用光受信部１５３とにそれぞれ対応して、励起光源２５２と、伝送路ファイバ断検出用光源２５１と、ファイバ断検出用光受信部２５３とを備える。
【００３１】
［手動利得校正］
次に、以上のような構成を備えた光伝送装置の動作について説明する。まず監視制御ユニット１１０、２１０による自動利得校正を行わない手動校正の動作について説明する。図９Ａと図９Ｂはその動作を示す。図２の構成において、装置１００から装置２００方向の伝送路３０１のファイバ支障移転を例として説明する。
【００３２】
支障移転の際、運用者は伝送路ファイバ切り替えのため、まず始めに、装置１００から装置２００方向の伝送路３０１において、伝送路ファイバ断６００を発生させる（図９ＡのステップＳ１）。このとき、主信号４０１、ファイバ断検出用光４０２、監視光４０３は装置２００に到達しない。従って、主信号検出部２４１、ファイバ断検出用光受信部２５３、監視信号受信部２２２ではそれぞれ入力断状態となる（図３参照、ステップＳ２）。
【００３３】
このとき、装置１００および装置２００では、伝送路ファイバ断６００の点への高レベルレーザ光の放出を防止するため、ＡＰＲ機能により光増幅ユニット１３０からの主信号４０１出力、ラマン光増幅ユニット２５０からの励起光５０４出力を停止する。ＡＰＲ機能については特許文献１に開示されている技術等により実現することが可能である（図４参照、ステップＳ３、Ｓ４）。
【００３４】
運用者により、伝送路ファイバが切り替えられる（ステップＳ５）。その後、運用者により装置１００−装置２００間の伝送路ファイバが接続され、伝送路ファイバ断６００は復旧する（図５参照、ステップＳ６）。
【００３５】
この後、ＡＰＲは復旧し装置１００、装置２００の状態は図２の状態に戻る（ステップＳ７、Ｓ８、Ｓ９）。しかしこの時、伝送路ファイバは切り替わっており、伝送路ファイバから得られる増幅利得と励起光は校正されておらず、ラマン光増幅ユニット２５０は、最適な増幅利得を得られない状態となっている。
【００３６】
ここから、運用者によりラマン光増幅ユニットの利得校正操作を行う。運用者は、装置１００の光増幅ユニット１３０に対して、強制的にシャットダウン制御を実行する（ステップＳ１０、Ｓ１１）。これは、ラマン光増幅ユニット２５０の利得校正を行う際、装置１００からの主信号４０１を受信してしまうと正しく利得校正できないためである（図５と同じ）。
【００３７】
運用者は装置１００の光増幅ユニット１３０に強制シャットダウンがかかっていることを確認する（ステップＳ１３）。その後、ラマン光増幅ユニット２５０に対して、利得校正制御を実行する（ステップＳ１４）。ラマン光増幅ユニット２５０は、励起光５０４を出力し、励起光５０４と伝送路３０１である光ファイバとから得られる増幅利得から、最適な増幅利得が得られるよう励起光５０４を校正する（図６参照、ステップＳ１５）。
【００３８】
校正が完了すると、ラマン光増幅ユニット２５０は、運用者に対して校正終了を通知する（ステップＳ１６）。運用者はラマン光増幅ユニット２５０の利得校正が完了していることを確認する（ステップＳ１７）。その後、運用者は、装置１００の光増幅ユニット１３０に対する強制シャットダウン制御を解除する（ステップＳ１８、Ｓ１９）。光伝送装置は、図２の状態に戻る。
【００３９】
［自動利得校正］
次に、監視制御ユニット１１０、２１０による自動利得校正を実行する場合の動作について説明する。図１０Ａ、図１０Ｂは、その動作を示す。図２の構成において、装置１００から装置２００方向の伝送路３０１のファイバ支障移転を例として説明する。
【００４０】
本実施形態においては、ファイバ断検出用光４０２の遮断に基づいて生成される伝送路遮断通知２５４と、監視光４０３の遮断に基づいて生成される監視光遮断通知２２３とは、第１実施形態における待機信号を生成するためのトリガとして機能する。これらの待機信号が解除されると、ラマン光増幅ユニット２５０の利得の校正が自動的に開始される。逆に装置１００から装置２００方向の伝送路３０１のファイバ支障移転の場合には、ファイバ断検出用光５０２の遮断に基づいて生成される伝送路遮断通知１５４と、監視光５０３の遮断に基づいて生成される監視光遮断通知１２３とに基づいて待機信号が生成され、この待機信号が解除されると、ラマン光増幅ユニット１５０の利得の校正が自動的に開始される。
【００４１】
伝送路ファイバ断６００発生から、ＡＰＲ（Ａｕｔｏ  Ｐｏｗｅｒ  Ｒｅｄｕｃｔｉｏｎ）機能による光増幅ユニット１３０からの主信号４０１出力、ラマン光増幅ユニット２５０からの励起光５０４出力停止（図４）までは、図９Ａに示した手動利得校正と同様の動作が実行される。すなわち図９ＡにおけるステップＳ１、Ｓ２、Ｓ３、Ｓ４にそれぞれ対応して、図１０ＡにおけるステップＳ２１、Ｓ２２、Ｓ２３、Ｓ２４の動作が実行される。
【００４２】
伝送路ファイバ断６００が発生すると、ラマン光増幅ユニット２５０は、ファイバ断検出用光受信部２５３において、ファイバ断検出用光４０２の入力断を検出する。その検出に応じて、ラマン光増幅ユニット２５０は伝送路遮断通知２５４を発信し、監視制御ユニット２１０に通知する。
【００４３】
光監視信号制御ユニット２２０は監視信号受信部２２２にて監視光４０３の入力断を検出する。その検出に応じて、光監視信号制御ユニット２２０は監視光遮断通知２２３を発信し、監視制御ユニット２１０に通知する。
【００４４】
監視制御ユニット２１０は、伝送路遮断通知２５４と監視光遮断通知２２３の両通知を受け取ったとき、伝送路ファイバ断と判断し、待機信号を生成する（ステップＳ２５）。この場合、監視制御ユニット２１０は、ラマン光増幅ユニットの自動利得校正モードに移行する。
【００４５】
自動利得校正モードに移行した監視制御ユニット２１０は、光監視信号制御ユニット２２０、１２０および監視光５０３により、装置１００の光増幅ユニット１３０に対して強制シャットダウン制御を指令するシャットダウン信号を送信する（ステップＳ２６）。監視制御ユニット２１０は更に、励起光５０４の供給を停止するための停止信号を自装置２００のラマン光増幅ユニット２５０に送信し、励起光５０４を強制シャットダウンする。その後、監視制御ユニット２１０は伝送路ファイバ接続待ちの状態となる（図４と同じ）。
【００４６】
運用者は、伝送路ファイバの切り替えを行う（ステップＳ２７）。その後、運用者により装置１００−装置２００間の伝送路ファイバが接続され、伝送路ファイバ断６００は復旧する（ステップＳ２８）。このとき、光増幅ユニット１３０からの主信号４０１出力、ラマン光増幅ユニット２５０からの励起光５０４のシャットダウンに関しては、ＡＰＲ機能による制御は解除される（ステップＳ２９、Ｓ３０）。しかしながら、監視制御ユニット２１０による先述の強制シャットダウン制御により、シャットダウン状態は継続している（ステップＳ３１）。伝送路ファイバ断６００が復旧するとファイバ断検出用光４０２と監視光４０３は装置２００に到達するため、伝送路遮断通知２５４と監視光遮断通知２２３が解除される（図５と同じ）。
【００４７】
監視制御ユニット２１０は伝送路遮断通知２５４と監視光遮断通知２２３の両方が解除されたとき伝送路ファイバ復旧と判断し、ラマン光増幅ユニット２５０に対して、利得校正制御を実行する（図６、ステップＳ３２）。
【００４８】
利得校正制御が完了すると、ラマン光増幅ユニット２５０は完了通知信号を監視制御ユニット２１０に送信する。監視制御ユニット２１０はその完了通知信号をトリガとして、装置１００の光増幅ユニット１３０に対する強制シャットダウン制御を解除する（ステップＳ３３、Ｓ３４）。光伝送装置は図２の状態に戻る。
【００４９】
以上が、自動利得校正の動作説明である。手動校正と比較し、運用者による操作が削減されていることが明らかである。
【００５０】
［自動利得校正の条件］
次に、伝送路ファイバ以外の主信号が導通するファイバ接続が切れた場合の動作について説明する。図２のような装置１００の例では、装置１００の状態などを装置２００に知らせるための光監視信号制御ユニット１２０がラマン光増幅ユニット１５０と光増幅ユニット１３０の前段側に接続されている。このような場合、監視光４０３を装置２００側で監視しているのみでは、伝送路３０１の障害であるのか装置１００内の障害であるのか区別がつかない。従って、光監視信号制御ユニット１２０よりも後段側、すなわち装置１００の出力端子に近い位置、すなわち伝送路３０１付近において、伝送路３０１の接続状態を監視するための光信号を主信号４０１に多重することが望ましい。図２の例では、ラマン光増幅ユニット１５０内に設けられた伝送路ファイバ断検出用光源１５１がその機能を果たす。
【００５１】
ファイバ断検出用光受信部２５３は、接続先ノードである装置１００が生成し、監視光４０３よりも装置２００に近い側において伝送路３０１に多重されるファイバ断検出用光４０２を受信する。ファイバ断検出用光受信部２５３は、ファイバ断検出用光４０２に基づいて伝送路３０１が遮断しているか否かを監視し、伝送路３０１が遮断したときに伝送路遮断通知を発信する。その伝送路遮断通知が解除されたときに、監視制御ユニットは自動校正を行う。
【００５２】
図７は、光増幅ユニット１３０からラマン光増幅ユニット１５０への接続が切れた場合（ファイバ断６０１）を示す。このとき、主信号検出部２４１、監視信号受信部２２２ではそれぞれ入力断状態となるが、ファイバ断検出用光受信部２５３は入力断とならない。この場合、監視制御ユニット２１０は、伝送路ファイバ断と判断しないため、自動利得校正モードに移行しない。
【００５３】
図８は、ラマン光増幅ユニット２５０から光増幅ユニット２４０への接続が切れた場合（ファイバ断６０２）を考える。この場合も、主信号検出部２４１、監視信号受信部２２２ではそれぞれ入力断状態となるが、ファイバ断検出用光受信部２５３は入力断とならない。
【００５４】
このように、伝送路ファイバ断であることを確実に判断することで、不要な利得校正を行わないように制御することができる。
【００５５】
運用者による操作が削減できることで、誤操作のリスクの削減と、作業工数の削減が期待できる。作業工数の削減については手動利得校正の操作（図９Ａ、図９Ｂ）、自動利得校正の操作（図１０Ａ、図１０Ｂ）に示すフローの差からも確認することができる。
【００５６】
以上、実施の形態を参照して本発明を説明したが、本発明は上記実施の形態に限定されるものではない。上記実施の形態に様々な変更を行うことが可能である。例えば、上記実施形態を互いに組み合わせることが可能である。
【００５７】
この出願は、２０１２年２月２日に日本国特許庁に提出された特願２０１２−０２１０３７号を基礎とする優先権を主張し、その開示の全てをここに取り込む。
【図１】
2013115230.tif 000003
【図２】
2013115230.tif 000004
【図３】
2013115230.tif 000005
【図４】
2013115230.tif 000006
【図５】
2013115230.tif 000007
【図６】
2013115230.tif 000008
【図７】
2013115230.tif 000009
【図８】
2013115230.tif 000010
【図９Ａ】
2013115230.tif 000011
【図９Ｂ】
2013115230.tif 000012
【図１０Ａ】
2013115230.tif 000013
【図１０Ｂ】
2013115230.tif 000014
【図１１】
2013115230.tif 000015
【図１２】
2013115230.tif 000016
【国際調査報告】
2013115230.tif 000017
2013115230.tif 000018
2013115230.tif 000019
2013115230.tif 000020